(57)【要約】    【課題】  生体分子相互作用を高精度で検出することができる生体分子相互作用検出装置及び検出方法を提供すること。    【解決手段】  プリズム（１）と、プリズム表面の金薄膜及び被検体検出層を有する被検体検出手段（２）と、レーザー発生手段（３）と、第１及び第２光検出手段（５、６）と備え、被検体検出層が、一方の端部に蛍光分子及び抗体が結合された鎖状の高分子材料を含み、高分子材料の他方の端部が金薄膜の表面に固定され、レーザー発生手段（３）から第１の入射角度で薄膜に入射されたレーザー光の反射強度を第１光検出手段（５）で検出し、レーザー発生装置（３）から第２の入射角度で薄膜に入射されたレーザー光によって生じるプラズモン光によって励起された蛍光分子が出力する蛍光を、第２光検出手段（６）で検出することを特徴とする生体分子相互作用検出装置。【選択図】    図１
2006208069.tif 000002
【特許請求の範囲】
【請求項１】
プリズムと、
該プリズムの表面に形成された金属を含む薄膜及び該薄膜の表面に形成された被検体検出層とを有する被検体検出手段と、
レーザー発生手段と、
第１光検出手段及び第２光検出手段と備え、
前記被検体検出層が、一方の端部に蛍光分子及び抗体が直接又は間接に結合された鎖状の高分子材料を含み、
前記高分子材料の他方の端部が、直接または間接に前記薄膜の表面に固定され、
前記レーザー発生手段から前記プリズムを介して、第１の入射角度で前記薄膜に入射されたレーザー光の反射強度を、前記第１光検出手段で検出し、
前記レーザー発生手段から前記プリズムを介して、第２の入射角度で前記薄膜に入射されたレーザー光によって生じるプラズモン光によって励起された前記蛍光分子が出力する蛍光を、前記第２光検出手段で検出することを特徴とする生体分子相互作用検出装置。
【請求項２】
前記第２の入射角度が、前記反射強度が極小となるときの前記第１の入射角度よりも小さいことを特徴とする請求項１に記載の生体分子相互作用検出装置。
【請求項３】
前記薄膜が約３０ｎｍ以上６０ｎｍ以下の厚さであり、
前記高分子材料によって形成される膜の厚さが約５０ｎｍ以下であることを特徴とする請求項１又は２に記載の生体分子相互作用検出装置。
【請求項４】
前記高分子材料が、ポリエチレングリコール、ポリグルタミン酸、２-ヒドロキシエチ
ルメタクリレート、及び２-メタクリロイルオキシエチルホスホリルコリンからなる群の
中から選択される材料であることを特徴とする請求項１〜３の何れかの項に記載の生体分子相互作用検出装置。
【請求項５】
前記第２光検出手段が、２次元画像撮像手段であることを特徴とする請求項１〜４の何れかの項に記載の生体分子相互作用検出装置。
【請求項６】
前記薄膜が、金を用いて４０ｎｍ以上６０ｎｍ以下の厚さに形成され、
前記高分子材料が、分子量が約２００，０００以下のポリエチレングリコールであり、
前記蛍光分子が、Ｃｙ５又はＡｌｅｘａＦｌｕｏｒ６４７であり、前記抗体に結合され、
前記レーザー光が、波長が６３２．８ｎｍのＨｅ−Ｎｅレーザーであり、
前記被検体検出層が、前記薄膜の上に形成された自己組織化膜と、該自己組織化膜に結合した第１のビオチンと、該第１のビオチンに結合したストレプトアビジンと、該ストレプトアビジンに結合した第２のビオチンとを含み、
前記高分子材料の前記他方の端部が、前記第２のビオチンに結合することによって、前記高分子材料が間接に前記薄膜に固定されることを特徴とする請求項１〜５の何れかの項に記載の生体分子相互作用検出装置。
【請求項７】
プリズムの表面に形成された薄膜と該薄膜の表面に形成された被検体検出層とを有する被検体検出手段を備え、前記被検体検出層が、一方の端部に抗体が結合された鎖状の高分子材料を含み、蛍光分子が前記抗体又は前記一方の端部に結合され、前記高分子材料の他方の端部が、直接または間接に前記薄膜の表面に固定されている生体分子相互作用検出装置を用い、前記被検体検出手段に投入された生体分子と前記抗体との相互作用を検出する方法であって、
レーザー光を前記プリズムを介して第１の入射角度で前記薄膜に入射させ、反射強度を
検出する処理を、前記第１の入射角度を変化させて繰り返す第１ステップと、
前記反射強度が極小となる前記第１の入射角度を候補角度として決定する第２ステップと、
前記候補角度から所定の角度だけ減算して得られる角度を入射角度として、レーザー光を前記プリズムを介して前記薄膜に入射し、該入射によって生じるプラズモン光によって励起された前記蛍光分子が出力する蛍光を検出する第３ステップとを含むことを特徴とする生体分子相互作用検出方法。
【請求項８】
前記被検体検出手段に投入された前記生体分子を洗浄する第４ステップをさらに含み、
前記第４ステップの前後で前記第３ステップを実行して、前記蛍光分子が出力する蛍光を測定し、前記第４ステップの前後で得られた蛍光強度を比較して、特異的結合の発生を検出することを特徴とする請求項７に記載の生体分子相互作用検出方法。
【請求項９】
前記被検体検出層が、複数種類の抗体を含み、
前記高分子材料の前記一方の端部に結合された前記抗体の種類に応じて蛍光波長が異なる蛍光分子が、前記一方の端部に結合され、
各々の前記蛍光分子に応じた波長の複数のレーザー光を用い、
前記レーザー光の波長ごとに、前記第１〜第３ステップを実行することを特徴とする請求項７又は８に記載の生体分子相互作用検出方法。
【請求項１０】
前記第３ステップにおいて、前記蛍光の２次元分布を測定することを特徴とする請求項７〜９の何れかの項に記載の生体分子相互作用検出方法。
【発明の詳細な説明】
【技術分野】
【０００１】
本発明は、表面プラズモン共鳴（Surface Plasmon Resonance、以下ＳＰＲとも記す）
法と、それによって発生する表面プラズモン光による表面プラズモン励起増強蛍光分光（Surface Plasmon Fluorescence Spectroscopy、以下ＳＰＦＳとも記す）法とを用い、細
胞培養における細胞分化の過程などにおける生体分子相互作用を観測することが可能な生体分子相互作用検出装置及び検出方法に関する。
【背景技術】
【０００２】
生体分子と細胞との相互作用を調べる方法として、表面プラズモン共鳴を使用した分光分析法が知られている。例えば、下記特許文献１には、表面プラズモン共鳴測定及び蛍光測定によって得られた信号を個別に分析することによって、被検体の固相への結合を判定する装置及びその方法が開示されている。
【０００３】
また、下記特許文献２、３、５には、表面プラズモン共鳴を用いた２次元イメージグ装置が開示されている。
【０００４】
また、下記特許文献４には、表面プラズモン共鳴測定、及び発生した蛍光が生じる第２のプラズモン共鳴を用いた表面プラズモン蛍光顕微鏡が開示されている。
【特許文献１】特開平１０−３０７１４１号公報
【特許文献２】特開２００１−２５５２６７号公報
【特許文献３】特開２００２−１１６１４９号公報
【特許文献４】特開２００４−１５６９１１号公報
【特許文献５】特開２００４−２７１３３７号公報
【発明の開示】
【発明が解決しようとする課題】
【０００５】
しかし、上記特許文献２、３、５では、ＳＰＲを使用しているため、信号が比較的小さく測定感度が低い問題がある。また、薄膜への吸着による反射光の強度変化を測定するので、薄膜から離れた場所での反応を検出することができない。
【０００６】
上記特許文献３では、円錐プリズムを用いてＳＰＲによる測定の感度を向上させることはできるが、円錐プリズムの頂点付近でのみ観測可能であり、所定の面積範囲を測定するには、円錐プリズムの頂点を走査させる必要があり、測定に時間がかる。
【０００７】
また、上記特許文献１〜５の何れにおいても、観測対象の反応によって薄膜への吸着が起こっていることは検出できても、特異吸着であるのか非特異吸着であるのかを区別することができない。
【０００８】
本発明は、上記の課題を解決すべく、抗原抗体反応などの生体分子相互作用を高精度で検出することができ、細胞分化の過程などで発生する生体分子を検出することが可能な、ＳＰＲ法及びＳＰＦＳ法を用いた生体分子相互作用検出装置及び検出方法を提供することを目的とする。
【課題を解決するための手段】
【０００９】
本発明の目的は、以下の手段によって達成される。
【００１０】
即ち、本発明に係る生体分子相互作用検出装置（１）は、プリズムと、該プリズムの表
面に形成された金属を含む薄膜及び該薄膜の表面に形成された被検体検出層とを有する被検体検出手段と、レーザー発生手段と、第１光検出手段及び第２光検出手段と備え、前記被検体検出層が、一方の端部に蛍光分子及び抗体が直接又は間接に結合された鎖状の高分子材料を含み、前記高分子材料の他方の端部が、直接または間接に前記薄膜の表面に固定され、前記レーザー発生手段から前記プリズムを介して、第１の入射角度で前記薄膜に入射されたレーザー光の反射強度を、前記第１光検出手段で検出し、前記レーザー発生手段から前記プリズムを介して、第２の入射角度で前記薄膜に入射されたレーザー光によって生じるプラズモン光によって励起された前記蛍光分子が出力する蛍光を、前記第２光検出手段で検出することを特徴としている。
【００１１】
また、本発明に係る生体分子相互作用検出装置（２）は、上記の生体分子相互作用検出装置（１）において、前記第２の入射角度が、前記反射強度が極小となるときの前記第１の入射角度よりも小さいことを特徴としている。
【００１２】
また、本発明に係る生体分子相互作用検出装置（３）は、上記の生体分子相互作用検出装置（１）又は（２）において、前記薄膜が約３０ｎｍ以上６０ｎｍ以下の厚さであり、前記高分子材料によって形成される膜の厚さが約５０ｎｍ以下であることを特徴としている。
【００１３】
また、本発明に係る生体分子相互作用検出装置（４）は、上記の生体分子相互作用検出装置（１）〜（３）の何れかにおいて、前記高分子材料が、ポリエチレングリコール、ポリグルタミン酸、２-ヒドロキシエチルメタクリレート、及び２-メタクリロイルオキシエチルホスホリルコリンからなる群の中から選択される材料であることを特徴としている。
【００１４】
また、本発明に係る生体分子相互作用検出装置（５）は、上記の生体分子相互作用検出装置（１）〜（４）の何れかにおいて、前記第２光検出手段が、２次元画像撮像手段であることを特徴としている。
【００１５】
また、本発明に係る生体分子相互作用検出装置（６）は、上記の生体分子相互作用検出装置（１）〜（５）の何れかにおいて、前記薄膜が、金を用いて４０ｎｍ以上６０ｎｍ以下の厚さに形成され、前記高分子材料が、分子量が約２００，０００以下のポリエチレングリコールであり、前記蛍光分子が、Ｃｙ５又はＡｌｅｘａＦｌｕｏｒ６４７であり、前記抗体に結合され、前記レーザー光が、波長が６３２．８ｎｍのＨｅ−Ｎｅレーザーであり、前記被検体検出層が、前記薄膜の上に形成された自己組織化膜と、該自己組織化膜に結合した第１のビオチンと、該第１のビオチンに結合したストレプトアビジンと、該ストレプトアビジンに結合した第２のビオチンとを含み、前記高分子材料の前記他方の端部が、前記第２のビオチンに結合することによって、前記高分子材料が間接に前記薄膜に固定されることを特徴としている。
【００１６】
また、本発明に係る生体分子相互作用検出方法（１）は、プリズムの表面に形成された薄膜と該薄膜の表面に形成された被検体検出層とを有する被検体検出手段を備え、前記被検体検出層が、一方の端部に抗体が結合された鎖状の高分子材料を含み、蛍光分子が前記抗体又は前記一方の端部に結合され、前記高分子材料の他方の端部が、直接または間接に前記薄膜の表面に固定されている生体分子相互作用検出装置を用い、前記被検体検出手段に投入された生体分子と前記抗体との相互作用を検出する方法であって、レーザー光を前記プリズムを介して第１の入射角度で前記薄膜に入射させ、反射強度を検出する処理を、前記第１の入射角度を変化させて繰り返す第１ステップと、前記反射強度が極小となる前記第１の入射角度を候補角度として決定する第２ステップと、前記候補角度から所定の角度だけ減算して得られる角度を入射角度として、レーザー光を前記プリズムを介して前記薄膜に入射し、該入射によって生じるプラズモン光によって励起された前記蛍光分子が出
力する蛍光を検出する第３ステップとを含むことを特徴としている。
【００１７】
また、本発明に係る生体分子相互作用検出方法（２）は、上記の生体分子相互作用検出方法（１）において、前記被検体検出手段に投入された前記生体分子を洗浄する第４ステップをさらに含み、前記第４ステップの前後で前記第３ステップを実行して、前記蛍光分子が出力する蛍光を測定し、前記第４ステップの前後で得られた蛍光強度を比較して、特異的結合の発生を検出することを特徴としている。
【００１８】
また、本発明に係る生体分子相互作用検出方法（３）は、上記の生体分子相互作用検出方法（１）又は（２）において、前記被検体検出層が、複数種類の抗体を含み、前記高分子材料の前記一方の端部に結合された前記抗体の種類に応じて蛍光波長が異なる蛍光分子が、前記一方の端部に結合され、各々の前記蛍光分子に応じた波長の複数のレーザー光を用い、前記レーザー光の波長ごとに、前記第１〜第３ステップを実行することを特徴としている。
【００１９】
また、本発明に係る生体分子相互作用検出方法（４）は、上記の生体分子相互作用検出方法（１）〜（３）の何れかにおいて、前記第３ステップにおいて、前記蛍光の２次元分布を測定することを特徴としている。
【発明の効果】
【００２０】
本発明によれば、ＳＰＲ及びＳＰＦＳを用いて生体分子の相互作用を高い検出感度で、且つ効率的に検出することができる。
【００２１】
また、被検体検出層の抗体にのみ蛍光修飾しておけばよく、検出対象の生体分子や、抗原が融合された細胞に対する蛍光修飾が不要であり、相互作用の測定が容易となる。
【００２２】
また、生体分子の相互作用のうち、抗原抗体反応のように特異的結合を、in situで、
精度良く検出することが可能である。従って、細胞の裏側の抗原抗体反応の観測に有用である。特に、培養過程において分化し、細胞膜上に時間経過に伴って異なる抗原が発現するような細胞に対して、本発明は、従来の方法のように細胞を培地からとりだして調べることなく、培養した検出部上において、そのまま抗原の出現の時間経過をトレースし、in
situで抗原を特定するのに有効である。
【００２３】
また、蛍光分布を２次元画像として撮像することができ、走査することなく、効率的に生体分子の相互作用を検出することができる。
【００２４】
また、種類の異なる複数の抗体を用い、抗体の種類毎に蛍光波長が異なる蛍光分子で修飾し、対応する波長の複数のレーザー光を使用することによって、複数種類の抗原に対して同時に又は時間経過に応じて相互作用を検出することができる。さらに、１つの被検体検出部全体に対して被検体が含まれた溶液を注入すればよく、抗体の種類毎に、対応する小さい被検体検出層を区分してアレイ状に配列し、それぞれの区分領域に被検体が含まれた溶液を注入する作業が不要であり、非常に効率的に測定を行なうことができる。
【発明を実施するための最良の形態】
【００２５】
以下、本発明に係る実施の形態を、添付した図面に基づいて説明する。
【００２６】
図１は、本発明の実施の形態に係る生体分子相互作用検出装置の概略構成を示すブロック図である。本実施の形態に係る生体分子相互作用検出装置は、プリズム１、プリズム１の上に形成された、検出対象の生体分子（以下、被検体と記す）を含む試料を保持する被検体検出部（以下、検出部と記す）２と、レーザー発生装置３と、レーザー発生装置３か
ら出力されるレーザー光Ｌの光路上に配置された偏光板４１、絞り４２、シャッタ４３、回転ミラー４４及びレンズ４５で構成される光制御部４と、光検出手段である第１及び第２ＣＣＤカメラ５、６と、第１及び第２フィルター７、８とを備えている。図２は、プリズム１の上に形成される検出部２の構成の一例を示す断面図である。
【００２７】
プリズム１には、高屈折率の４５度直角プリズムを用いることができる。検出部２は、プリズム１の表面にスパッター法あるいは蒸着法により３０〜６０ｎｍ（ナノメートル）（望ましくは４０〜６０ｎｍ、より望ましくは４３〜５３ｎｍ）の厚さに形成された金薄膜２１と、金薄膜２１表面上にスペーサ２３によって周囲を囲まれて形成された、抗原と反応させる抗体を含む被検体検出層（以下、検出層と記す）２４と、石英基板２５と、これらを固定する固定具２２とを備えている。ここで、スペーサ２３、検出層２４及び石英基板２５によって、バッファ空間２７が形成されており、石英基板２５には貫通孔によって流路２６ａ、２６ｂが形成されている。流路２６ａ、２６ｂは、試料溶液をバッファ空間２７に注入するために使用され、例えば、試料溶液を、流路２６ａからチューブ（図示せず）を介してバッファ空間２７に注入し、流路２６ｂから別のチューブ（図示せず）を介してバッファ空間２７から排出させる。検出層２４は、所定の蛍光分子及び抗体を結合させたポリエチレングリコール（polyethylene glycol、以下ＰＥＧと記す）を含んでい
る。さらに、蛍光分子及び抗体は共に、ＰＥＧの一方の端部に結合されており、ＰＥＧの他方の端部は、直接若しくは間接に金薄膜２１表面に固定されている。尚、抗体、蛍光分子及びＰＥＧの結合順序は任意であり、抗体及び蛍光分子がＰＥＧの一方の端部に位置するように結合していればよい。さらに、それらの間に、別の比較的小さい高分子材料が介在していてもよい。
【００２８】
第１ＣＣＤカメラ５は、金薄膜による反射レーザー光を観測するためのものであり、第１フィルター７を介して反射レーザー光を受光可能な位置に配置されている。一方、第２ＣＣＤカメラ６は、検出層２４に含まれている蛍光分子からの蛍光を検出するためのものであり、観測波長に適した蛍光用高感度ＣＣＤカメラと第２フィルター８とが、検出部２の上方に設置されている。ここで、第１ＣＣＤカメラ５は、少なくとも反射光強度を測定することができれば良く、２次元撮像ができなくてもよく、フォトダイオードであってもよい。
【００２９】
レーザー発生装置３には、例えば、Ｈｅ−Ｎｅレーザーを使用することができる。また、回転ミラー４４は、ミラーの角度を変更することが可能であり、レーザー光Ｌの金薄膜２１への入射角θを、例えば、θ＝２８〜６２（度）の範囲で変化させることができる。尚、図１において、レーザー光Ｌが通過するプリズム表面での光路の屈曲は省略している。
【００３０】
レーザー発生装置３から出力されるレーザー光Ｌは、偏光板４１によってＰ偏光され、絞り４２を通過し、シャッタ４３が開いている間、回転ミラー４４、レンズ４５及びプリズム１を介して検出部２の金薄膜２１に入射され、その反射光が、レンズ４５及びフィルタ７を介して第１ＣＣＤカメラ５で測定される。また、検出層２４内の蛍光分子からの蛍光は、第２ＣＣＤカメラ６で測定される。
【００３１】
次に、本生体分子相互作用検出装置を用いた生体分子相互作用の検出方法を、図３に示すフローチャートを用いて説明する。予め、検出部２のバッファ空間２７に、検出層２４に含まれる抗体に対する抗原を持つ細胞を含む溶液を注入し、この検出部２が水平に設置されているとする。
【００３２】
ステップＳ１において、初期設定として、入射角度θに最小値θminを設定する。
【００３３】
ステップＳ２において、レーザー発生装置３から出力されるレーザー光Ｌを、回転ミラー４４のミラー表面の角度を固定し、上記のようにプリズム１を介して検出部２の金薄膜２１に入射させ、その反射光を第１ＣＣＤカメラ５で測定し、反射強度を記録する。周知のように、偏光板４１を介してＰ偏光されたレーザー光Ｌは、金薄膜２１中の電子振動とカップリングしてＳＰＲ現象を生じた場合、反射光の強度が減少する。
【００３４】
ステップＳ３において、入射角度θが予め設定した最大値θmax以下であるか否かを判
断する。入射角度θが最大値θmax以下である場合、ステップＳ４に移行して、入射角度
θをΔθだけ増大させた後、ステップＳ２に戻る。ステップＳ２では、新たに決定されたθに応じて、回転ミラー４４の角度を変更し、ステップＳ２において、反射光の強度を測定する。入射角度θが最大値θmax以下でない場合、ステップＳ５に移行する。これによ
って、θ＝θmin〜θmaxの範囲を所定の刻みΔθの間隔で変化させて、反射光の強度を測定することができる。
【００３５】
ステップＳ５において、以上のステップで得られた測定値から反射強度が極小となるときの入射角度θdipを求める。図４は、測定した反射強度から入射光強度を基準とした反
射率を求め、入射角度θに関してプロットして得られるグラフの一例を示す図である。図４に示すように、反射率は、金薄膜２１の厚さやプリズム１の屈折率などに応じた所定の角度で極小値となる。この極小となるときの角度θをθdipとして決定する。尚、図４に
は、金薄膜２１の厚さが異なる場合や、金薄膜２１の表面に付着物が形成された場合などに、反射率が極小値となる角度θdipが変化することを破線で示している。
【００３６】
ステップＳ６において、ステップＳ５で求めた角度θdipから所定の角度δを減算し、
角度θ1を求める。ここで、δは０.１〜２（度）の範囲の値である。このように、ステップＳ５で求めた角度θdipよりも少し小さい角度θ1を求めるのは、後述する蛍光強度のピーク位置が角度θ＝θdipよりも少し小さい入射角度で生じるからである。
【００３７】
ステップＳ７において、レーザー光Ｌの金薄膜２１への入射角度θがステップＳ６で求めた角度θ1になるように回転ミラー４４を調節し、レーザー発生装置３からのレーザー
光Ｌを金薄膜２１に入射する。これによって、ＳＰＲによるプラズモン光によって、検出層２４内の蛍光分子が励起され、蛍光を発生する。発生した蛍光を、検出部２の上方に位置する第２ＣＣＤカメラ６で測定、即ち２次元撮像する。得られた２次元画像における各画素の輝度が、検出層上の各場所での蛍光強度に対応する。
【００３８】
このとき、蛍光分子の金薄膜２１表面からの距離に依存して、第２ＣＣＤカメラ６で観測できる蛍光強度は図５に示したグラフのように変化する。図５において、横軸は金薄膜表面から蛍光分子までの距離、縦軸は観測される蛍光の相対強度である。従って、検出層２４の中でＰＥＧに付された抗体が抗原と結合し、界面方向にＰＥＧが伸長された場合、ＰＥＧの抗体が付された側と同じ端部に付されている蛍光分子が金薄膜２１表面から遠ざかるので、より強い蛍光が観測される。
【００３９】
図６に、ＰＥＧが伸長することによって、蛍光分子からの蛍光が大きく観測される様子を模式的に示す。図６の左側に示したように、ＰＥＧが縮んでおり、金薄膜２１の表面近傍にある状態では、下向きの矢印で示したように、蛍光分子が発する蛍光は金薄膜２１に励起エネルギー移動がおこって殆ど消光されてしまう。しかし、右側に示したようにＰＥＧが伸長して金薄膜２１の表面から遠ざかると、金薄膜２１へのエネルギー移動効率が減少し、上向きの矢印で示したように、蛍光は外部に放出され、検出可能となる。図５のグラフから、ＰＥＧが伸長することによって蛍光分子が金薄膜表面から遠ざかる距離の最大値は、約５０ｎｍ以下であることが望ましく、従ってＰＥＧの長さは約５０ｎｍ以下であることが望ましい。即ち、ＰＥＧの分子量は、約２００，０００以下であることが望まし
く、数万以下であることがより望ましい。ＰＥＧを間接に金薄膜表面に固定する場合には、固定に使用する材料の厚さも含めた値が約５０ｎｍ以下であることが望ましい。
【００４０】
ステップＳ８において、終了の有無を判断し、終了しない場合にはステップＳ１に戻る。例えば、所定時間経過した後に再びステップＳ１〜Ｓ７の処理を行い、第２ＣＣＤカメラ６による撮像を行なう。これによって、蛍光強度の経時変化、即ち抗原抗体反応の経時変化を観測することができる。また、所定時間経過の後に検出部を洗浄（以下、リンスとも記す）し、再びステップＳ１〜Ｓ７の処理を行い、第２ＣＣＤカメラ６による撮像を行なってもよい。抗原を持つ細胞を注入する前よりも増強した蛍光強度が洗浄後にも維持されていれば、相互作用が安定であること、即ち抗原抗体反応であるといえる。
【００４１】
以上によって、第２ＣＣＤカメラ６による蛍光強度の測定によって、検出層２４に形成した抗体と、注入した溶液中の抗原との相互作用を検出することができる。従って、例えば既知の抗体を用いて形成した検出層に対して、細胞を含む溶液を接触させることによって、その細胞の出すタンパク質（抗原）を特定することができる。
【００４２】
蛍光分子としては、レーザー光の波長などを考慮して適切な蛍光分子を使用すればよい。例えば、光源として波長６３２．８ｎｍのＨｅ−Ｎｅレーザーを使用する場合、Ｃｙ５、ＡｌｅｘａＦｌｕｏｒ６４７などを使用することができる。
【００４３】
また、上記では、ＰＥＧを用いる場合を説明したが、これに限定されず、端部に蛍光分子及び抗体を結合させることができ、長さが数〜数十ｎｍの柔らかい鎖状の高分子材料であればよい。使用する抗体や蛍光分子に応じて適切な高分子材料を使用することができ、例えば、ポリグルタミン酸、２-ヒドロキシエチルメタクリレート、あるいは２-メタクリロイルオキシエチルホスホリルコリンなどを使用することができる。
【００４４】
また、プリズム表面に形成される薄膜は、金薄膜に限定されず、その他の金属（銀など）や、金属酸化物（ＳｉＯ2、ＴｉＯ2、Ａｌ２Ｏ３、Ａｇ２Ｏなど）の薄膜であってもよい。
【００４５】
また、上記では、流路を有する石英基板及びスペーサを備えた検出部を説明したが、これに限定されない。金薄膜表面上に被検体検出層が形成され、被検体の生体分子を保持することができる構造であればよい。
【００４６】
また、上記では、ＳＰＦＳ測定時のレーザー入射角度θ1を、ＳＰＲで観測した反射強
度の極小値に対応する入射角度θdipよりも少し小さい角度とする場合を説明したが、こ
れに限定されず、θdipに近い角度であればよく、θ1≧θdipであってもよい。θ1がθdipよりも少し小さいことが望ましいが、θ1がθdipに近い値（等しい場合を含む）であれ
ば、十分な強度の信号を観測することができる。
【００４７】
また、上記では１つの検出層を備える場合を説明したが、金薄膜上に、異なる抗体を含む複数の検出層をアレイ状に配列して検出部を形成してもよい。その場合、同じ生体分子に対して、複数の抗体との相互作用を、一度に観測することができる。
【００４８】
また、上記においては、１種類の蛍光分子を用いる場合を説明したが、これに限定されず、複数種類の抗体と、抗体の種類毎に、蛍光波長の異なる蛍光分子を結合させて検出部を形成してもよい。この場合、ＳＰＲ測定及びＳＰＦＳ測定は、蛍光分子の種類に応じた波長の異なる複数のレーザー光あるいは各種フィルタを挿入したランプを用いて行なう。この検出部を用いれば、複数種類の抗原に対して同時に又は時間経過に応じて抗原抗体反応を検出することができる。特に、培養過程において分化するような細胞の場合、細胞膜
上に時間経過に伴って、異なる抗原が発現することがあるが、従来の方法のように細胞を培地からとりだして調べるのではなく、本発明では、培養を行う検出部上で、そのまま抗原の出現の時間経過をトレースすることができ、in situで抗原を特定するのに有効であ
る。この場合、１つの検出部全体に対して被検体が含まれた溶液を注入すればよく、抗体の種類毎に、対応する小さい検出層を区分してアレイ状に配列し、それぞれの区分領域に被検体が含まれた溶液を注入する作業が不要であり、非常に効率的に測定を行なうことができる。
【００４９】
また、蛍光の２次元分布を測定する手段（第２ＣＣＤカメラ６）は、上記したＣＣＤカメラに限定されず、所定の波長の蛍光を測定可能な２次元画像撮像装置であればよい。
【実施例１】
【００５０】
以下に実施例を示し、本発明の特徴とするところをより一層明確にする。
【００５１】
（本発明に係る検出部の作製）
まず、作製した本発明に係る検出部に関して説明する。
【００５２】
図２に示したように、プリズム１として、高屈折率の４５度直角プリズムであるＳＣＨＯＴＴ  ＧＬＡＳＳ社製のＬａＳＦＮ９（屈折率ｎ＝１．８５）を用い、その底面にスパッター法により膜厚約４８ｎｍの金薄膜２１を形成し、流路２６ａ、２６ｂが形成された石英基板２５を、厚さ２ｍｍのシリコンゴムのスペーサ２３で挟んで金薄膜２１の上に設置した。これに、ポンプを用いて、ＰＢＳ緩衝液（りん酸緩衝液、ｐＨ＝７．２）を注入した。このときのセル容積はおよそ１６０μＬ（マイクロリットル）であった。
【００５３】
11-Amino-1-undecanethiolと(+)-Biotin N-hydroxysuccinimide ester (NHS-Biotin)（何れもＤｏｊｉｎｄｏ社製）とを、２：１のモル比で反応させ、Biotin化アルカンチオールの０．２５ｍＭＰＢＳ緩衝液を調製した。このＰＢＳ緩衝液をポンプにより、石英基板２５を形成した段階の検出部に注入して約１時間放置し、金属薄膜２１の表面に自己組織化膜を形成させた。
【００５４】
その後３〜４ｍＬのＰＢＳ緩衝液でリンスし、続いて３μＭのStreptavidinＰＢＳ緩衝液を注入した。約１時間後、Biotin（ビオチン）と結合したStreptavidin（ストレプトアビジン）の層が自己組織化膜の上に形成された。
【００５５】
これを、再びリンスした後、予め次の方法で調製しておいたCy5修飾Anti-GFP-PEG-BiotinのＰＢＳ緩衝液を注入した。Cy5修飾Anti-GFP-PEG-BiotinのＰＢＳ緩衝液は、まず、Anti-GFPにCy5 Antibodyラベリングキット（アマシャム社）を用いて蛍光分子としてCy5修
飾し、カラムによって単離し、次に、得られた濃度０．１ｍｇ／ｍＬのCy5修飾Anti-GFP
０．３ｍＬと、NHS-PEG-Biotin（分子量３４００、Ｓｈｅａｒｗａｔｅｒ社）０．３４ｍｇとを混合し、ときどき攪拌しながら約半日放置することで得た。使用直前にこれをＰＢＳ緩衝液で３倍に希釈した。
【００５６】
Cy5修飾Anti-GFP-PEG-Biotinを注入してから約1時間後、再びリンスを行い、Streptavidinに結合したものだけを残存させた。これによって、図７に示すように、金薄膜の上に
、自己組織化膜、Streptavidin、Cy5修飾Anti-GFP-PEG-Biotinの順で積層された検出層２４を形成し、検出部の作製を完了した。
【００５７】
（被検出対象の調整）
次に、被検出対象とした、ＧＦＰ融合膜蛋白含有膜画分の調製について説明する。
【００５８】
ＥＧＦＰ−Ｎ１ベクター（Ｃｌｏｎｔｅｃｈ社）よりＥＧＦＰ遺伝子を切り出し、ＧｌｕＲ２のアミノ末端から、シグナル配列に続けて、ＭｙｃタグとＥＧＦＰ遺伝子を導入し、その後にＧｌｕＲ２の３番目の膜貫通領域からカルボキシル末端までを含むたんぱく質をコードする遺伝子（以下、ＧＦＰ−ｔＧｌｕＲ２と記す）を作成した。このＧＦＰ−ｔＧｌｕＲ２を含む発現ベクターをＡ６細胞にトランスフェクションし、安定発現細胞を作成した。
【００５９】
この安定発現細胞を培養し、膜画分を次のように調製した。即ち、安定発現細胞をＰＢＳに懸濁し、これを超音波破砕し、遠心分離した（１０００ｇで１０分間）。その上澄みを回収し、再度遠心分離（８０００ｇで３０分間）し、沈殿を再度ＰＢＳに懸濁し、実験に用いた。
【００６０】
（ＳＰＲ測定及びＳＰＦＳ測定）
以上のように形成された検出部に、ＧＦＰ融合膜蛋白含有膜画分を濃度０．６９ｍｇ／ｍＬで適用し、図３を用いて説明したように、ＳＰＲ測定及びＳＰＦＳ測定（２次元イメージング）を行なった。レーザー光源にはＨｅ−Ｎｅレーザーを使用し、波長が６３２．８．ｎｍのレーザー光を使用した。また、ＳＰＦＳ測定においては、蛍光強度が最も感度よく検出できるように、δ＝０．５（度）とし、ＳＰＲ測定によって決定された角度θdipを用いて、θ1＝θdip−０．５（度）に入射角を固定し、蛍光強度を測定した。尚、上
記検出部の作製において、各層の形成キネティクスと最終膜厚を、ＳＰＲ測定により追跡することで、確認した。
【００６１】
測定結果を図８に示す。図８において、横軸及び横軸はそれぞれ時間（分）及び蛍光強度である。図８に丸（●）で示したように、時間とともに蛍光強度が増大した。これは、ランダムコイル状の柔らかい鎖のＰＥＧ鎖が膜画分との結合によって、界面方向へ引っ張られ、その結果蛍光分子が金薄膜より離れたためと考えられる。図９は、この状態を示す模式図である。また、検出部へのＧＦＰ融合膜蛋白含有膜画分の適用を開始してから約１時間後、リンスを行ったが、図８から、蛍光強度が、ＧＦＰ融合膜蛋白含有膜画分の投入を行なう前の値の２００％以上に増大していることが分かる。このことは、蛍光強度の増大の原因、即ち、検出層と投与した膜画分との反応状態が、検出部から除去されずに残存していることを意味する。即ち、その反応が、特異的結合（抗原抗体反応）であったことが分かる。
【００６２】
図８には、比較実験として、ＧＦＰが融合していない膜画分を調整し、上記で作製した本発明に係る検出部に対して適用し、上記と同様にＳＰＲ測定及びＳＰＦＳ測定を行なった結果を、四角（□）で示している。図８において、ＧＦＰが融合していない膜画分に関しても、ＧＦＰが融合した膜画分と同様に、膜画分の投入時から蛍光強度が増大している。これは、ＧＦＰが融合していない膜画分と検出層との非特異吸着によって、ＰＥＧ鎖の形態や運動性が影響を受けたことが原因と考えられる。非特異吸着が起こっていることは、ＧＦＰが融合していない膜画分に関しても、ＳＰＲのディップの広角シフト、即ち、角度θdipが大きくなる現象が見られることで、確認された。
【００６３】
また、ＧＦＰが融合していない膜画分に関しては、リンスを行なった後には蛍光強度が減少している。従ってこの場合、抗原抗体反応による特異的結合は起こっておらず、ＰＥＧ鎖の形態や運動性に影響を与えていた膜画分がリンスによって除去され、ＰＥＧが元の状態に戻ったことが分かる。
【００６４】
以上のように、本発明に係る検出部を用いて、リンス前後にＳＰＲ測定及びＳＰＦＳ測定を行なうことによって、特異的結合（抗原抗体反応）が生じたか否かを検出することができる。通常の顕微鏡観察では基板に吸着あるいは結合したものを見たときに結合部分で
ある細胞の裏側は観測することが難しいが、このように、ＳＰＦＳ測定を用いた本発明によれば、これまでの方法では分からなかった細胞の裏側の抗原抗体反応のin situ観測に
有用である。また、検出層にさえ蛍光修飾すればよく、抗原が融合された細胞への蛍光修飾が不要なことも大きな利点である。
【実施例２】
【００６５】
上記した本発明に係る検出部と異なる検出部を作製し、比較実験を行なった。
【００６６】
（比較実験用検出部の作製）
Biotin化PEGアルカンチオール、Streptavidin、Cy5修飾Anti-GFP-Biotinをそれぞれ次
のように結合させた。
【００６７】
まず、11-Amino-1-undecanethiolの１ｍＭＰＢＳ緩衝溶液を、上記と同様に石英基板２５を形成した段階の検出部に注入し、金属薄膜２１の表面に自己組織化膜を形成させた。リンス後、１ｍＭのNHS-PEG-Biotin（分子量３４００、Ｓｈｅａｒｗａｔｅｒ社製)を注
入し、反応させてBiotin化PEGアルカンチオールを作製した。ＰＢＳ緩衝液によるリンス
後、３μＭのStreptavidinを注入し、Biotinと結合させた。最後にBiotin-Anti-GFP（コ
スモバイオ社製）にCy5 Antibodyラベリングキットを用いてCy5修飾したCy5修飾Anti-GFP-Biotinを注入し、リンスを行い、比較実験用検出部として完了させた。ここで、実施例
１との大きな違いは、本比較実験用検出部では、ＧＦＰ抗体とＰＥＧとが直接結合されていないことである。
【００６８】
この比較実験用検出部に、実施例１と同様に、ＧＦＰ融合膜画分を投与し、ＳＰＲ測定及びＳＰＦＳ測定を行なった。その結果、蛍光強度は、上記のＧＦＰ融合膜画分を加えた後も増大しなかった。これは、ＰＥＧと抗体とが直接つながっておらず、ＧＦＰとの結合によって抗体が細胞膜の方向へ引っ張られる現象が起こらなかったためと考えられる。
【００６９】
このことから、抗原抗体反応が起こる細胞観測に関して有効である検出部は、ＰＥＧ鎖と抗体とが結合しており、且つ抗体と蛍光分子とが同じ側のＰＥＧの端部に結合されている（抗体に直接蛍光修飾されていてもよい）検出部であるといえる。
【図面の簡単な説明】
【００７０】
【図１】本発明の実施の形態に係る生体分子相互作用検出装置の概略構成を示すブロック図である。
【図２】本実施の形態に係る生体分子相互作用検出装置で使用される検出部の構成の一例を示す断面図である。
【図３】本実施の形態に係る生体分子相互作用検出装置を用いた生体分子相互作用の検出方法を示すフローチャートである。
【図４】ＳＰＲにおける入射角度と反射率の関係を示すグラフである。
【図５】ＳＰＦＳにおける蛍光強度と金薄膜からの距離との関係を示すグラフである。
【図６】ＰＥＧが伸長することによって、蛍光分子からの蛍光が大きく観測される様子を示す模式図である。
【図７】形成した本発明に係る検出部を示す模式図である。
【図８】測定結果を示す図である。
【図９】形成した本発明に係る検出部と被検出膜画分との反応を示す模式図である。
【符号の説明】
【００７１】
１    プリズム
２    被検体検出部
３    レーザー発生装置
４    光制御部
５    第１ＣＣＤカメラ
６    第２ＣＣＤカメラ
７    第１フィルタ
８    第２フィルタ
２１  金薄膜
２２  固定具
２３  スペーサ
２４  被検体検出層
２５  石英基板
２６ａ、２６ｂ  流路
２７  バッファ空間
４１  偏光板
４２  絞り
４３  シャッタ
４４  回転ミラー
４５  レンズ
【図１】
2006208069.tif 000003
【図２】
2006208069.tif 000004
【図３】
2006208069.tif 000005
【図４】
2006208069.tif 000006
【図５】
2006208069.tif 000007
【図６】
2006208069.tif 000008
【図７】
2006208069.tif 000009
【図８】
2006208069.tif 000010
【図９】
2006208069.tif 000011